(57)【要約】【課題】  高輝度のスタック投写映像と、高解像度のワイド映像映像とを、簡便に切替え可能なプロジェクタシステムおよびプロジェクタを提供すること。【解決手段】  複合映像の基準となるマスター映像を投写するマスタープロジェクタ２０１と、マスタープロジェクタ２０１と電気的に接続し、マスター映像と複合することにより複合映像を形成するスレーブ映像を投写するスレーブプロジェクタ２０２とを備え、複合映像は、マスター映像およびスレーブ映像とを重畳したスタック映像と、マスター映像およびスレーブ映像と並べたワイド映像と、を含み、マスタープロジェクタ２０１は、複数の複合映像の中から選択された１つの複合映像の基準となるマスター映像を投写するとともに選択された複合映像を示す表示モード情報をスレーブプロジェクタに送り、スレーブプロジェクタは、マスタープロジェクタからの表示モード情報に基づき、スレーブ映像を投写する。【選択図】      図１
2006165949.tif 000002
【特許請求の範囲】
【請求項１】
複数のプロジェクタが投写する映像を複合することにより複合映像を形成するプロジェクタシステムであって、
前記複合映像の基準となるマスター映像を投写するマスタープロジェクタと、
前記マスタープロジェクタと電気的に接続し、前記マスター映像と複合することにより前記複合映像を形成するスレーブ映像を投写するスレーブプロジェクタとを備え、
前記複合映像は、前記マスター映像および前記スレーブ映像とを重畳したスタック映像と、前記マスター映像および前記スレーブ映像とを並べたワイド映像と、を含み、
前記マスタープロジェクタは、複数の前記複合映像の中から選択された１つの複合映像の基準となる前記マスター映像を投写するとともに前記選択された複合映像を示す表示モード情報を前記スレーブプロジェクタに送り、前記スレーブプロジェクタは、前記マスタープロジェクタからの表示モード情報に基づき、前記スレーブ映像を投写することを特徴とするプロジェクタシステム。
【請求項２】
複数のプロジェクタが投写する映像を複合することにより複合映像を形成し、前記複合映像の基準となるマスター映像を投写するマスタープロジェクタと、前記マスター映像と重畳することにより前記複合映像としてのスタック映像を生成し、または前記マスター映像と並べることにより前記複合映像としてのワイド映像を生成するスレーブ映像を投写するスレーブプロジェクタとを含んで構成されるプロジェクタシステムのマスタープロジェクタとして動作可能なプロジェクタであって、
前記複合映像の形成を指示する操作がなされると指示された前記複合映像に対応した操作信号を出力する操作受付け部と、
複数の前記複合映像ごとの前記マスター映像の大きさ、投写位置、フォーカスに関する設定情報を記憶する記憶部と、
前記スレーブプロジェクタと前記指示された複合映像を示す表示モード情報を含む情報を送信および受信するための通信部と、
前記マスター映像を投写するための複数のレンズから構成された投写レンズと、
前記投写レンズのズーム、投写位置、フォーカスを調整する複数のアクチュエータを含む投写レンズ調整部と、
前記操作受付け部からの操作信号に応じて、指示された前記複合映像のマスター映像に関する設定情報を前記記憶部から引き当て、引き当てた前記設定情報に沿って前記投写レンズ調整部に調整コマンドを出力する制御部と、を備え、
前記制御部は、前記調整コマンドを出力すると、前記スレーブプロジェクタに前記表示モード情報を送ることを特徴とするプロジェクタ。
【請求項３】
複数のプロジェクタが投写する映像を複合することにより複合映像を形成し、前記複合映像の基準となるマスター映像を投写するマスタープロジェクタと、前記マスター映像と重畳することにより前記複合映像としてのスタック映像を生成し、または前記マスター映像と並べることにより前記複合映像としてのワイド映像を生成するスレーブ映像を投写するスレーブプロジェクタとを含んで構成されるプロジェクタシステムのスレーブプロジェクタとして動作可能なプロジェクタであって、
複数の前記複合映像ごとの前記スレーブ映像の大きさ、投写位置、フォーカスに関する設定情報を記憶する記憶部と、
投写する複合映像の種類を示す表示モード情報を含む情報を前記マスタープロジェクタとやり取りするための通信部と、
前記スレーブ映像を投写するための複数のレンズから構成される投写レンズと、
前記投写レンズのズーム、投写位置、フォーカスを調整する複数のアクチュエータを含む投写レンズ調整部と、
前記マスタープロジェクタからの前記表示モード情報に沿って、指示された前記複合映像の前記スレーブ映像に関する前記設定情報を前記記憶部から引き当て、引き当てた前記設定情報に沿って前記投写レンズ調整部に調整コマンドを出力する制御部とを、含むことを特徴とするプロジェクタ。
【請求項４】
請求項２に記載のプロジェクタであって、
前記記憶部に、前記マスター映像の形状に関する設定情報をさらに記憶するとともに、
入力された映像信号にて表される映像の形状を補正する処理を前記映像信号に施す映像信号処理部を、さらに備えることを特徴とするプロジェクタ。
【請求項５】
請求項３に記載のプロジェクタであって、
前記記憶部に、前記スレーブ映像の形状に関する設定情報をさらに記憶するとともに、入力された映像信号にて表される映像の形状を補正する処理を前記映像信号に施す映像信号処理部を、さらに備えることを特徴とするプロジェクタ。
【請求項６】
請求項２または４に記載のプロジェクタであって、
前記投写されたマスター映像を撮像するためのエリアセンサと、エリアセンサにより撮像された映像を解析し、マスター映像の大きさ、形状、フォーカスを検出する画像解析部とを、さらに備えることを特徴とするプロジェクタ。
【請求項７】
請求項３または５に記載のプロジェクタであって、
前記投写されたスレーブ映像を撮像するためのエリアセンサと、エリアセンサにより撮像された映像を解析し、スレーブ映像の大きさ、形状、フォーカスを検出する画像解析部とを、さらに備えることを特徴とするプロジェクタ。
【請求項８】
請求項２，４，６のいずれか一項に記載のプロジェクタをマスタープロジェクタとし、請求項３，５，７のいずれか一項に記載のプロジェクタをスレーブプロジェクタとする２台のプロジェクタにより構成されることを特徴とする請求項１に記載のプロジェクタシステム。
【請求項９】
請求項２，４，６のいずれか一項に記載のプロジェクタであって、
前記記憶部は、複数の前記複合映像ごとの前記スレーブ映像の大きさ、投写位置、フォーカスに関する設定情報をさらに記憶し、
前記操作受付け部は、前記マスタープロジェクタとしての機能と前記スレーブプロジェクタとしての機能とを切替える主従切替え操作がなされると、主従切替え操作情報を含む操作信号を出力し、
前記制御部は、前記操作受付け部からの操作信号に応じて、前記操作受付け部の機能を停止し、前記通信部に入力する前記スレーブ映像の表示モード情報に沿って前記スレーブ映像を投写することを特徴とするプロジェクタ。
【請求項１０】
前記マスター映像および前記スレーブ映像は、それぞれが４：３のアスペクト比を有し、
前記複合映像は、アスペクト比４：３のスタック映像、およびアスペクト比１６：９のワイド映像であることを特徴とする請求項１または請求項８に記載のプロジェクタシステム。
【発明の詳細な説明】
【技術分野】
【０００１】
本発明は、ランプなどの光源部が発する光を、映像を規定する映像信号に応じて変調し、映像を投写するプロジェクタシステムおよびプロジェクタに関する。
【背景技術】
【０００２】
例えば２００〜３００インチ位の大型スクリーンを備えたホテルなどの多目的ホールに設置されるプロジェクタは、大画面を一様に照射するために、通常より明るい映像が投写可能な、４０００〜５０００ルーメン位の輝度を持つものが望ましい。このような高輝度のプロジェクタは、通常の１０００〜２５００ルーメン位の輝度を持つプロジェクタを複数台購入できるくらい高価である。
大画面で明るい投写映像を安価な構成で達成するために、例えば、通常の輝度のプロジェクタを複数台用いて、同一映像を同一スクリーンに重畳投写する方法が知られている。例えば、特許文献１には、複数のプロジェクタを使用して、同一映像を同一スクリーンにスタック投写するプロジェクタシステムが開示されている。
【０００３】
多目的ホールなどの大きな会場でのプロジェクタの用途は、主に会議にてＰＣ（パーソナルコンピュータ）からのグラフなどを含んだプレゼンテーション映像の投写などを行うビジネス用途か、新作映画の投影会などで映画映像を投写する鑑賞用途に大別される。ビジネス用途の場合、ＰＣ画面のアスペクト比４：３に沿った映像を、安価に入手可能な、例えば解像度ＸＧＡ（1024×768）の複数のプロジェクタでスタック投写することにより明るい投写映像を得ることが可能である。
この構成で、例えば、ＤＶＤ（Digital Versatile Disk）プレーヤからの鑑賞用途のアスペクト比１６：９のワイド映像による映画の映像を投写する場合について図８を用いて説明する。図８は、従来の複数のプロジェクタによるワイド映像投写の概要図である。２台のプロジェクタ６１，６２は、ＤＶＤプレーヤ６０から同一の映像信号の供給を受け、スクリーンＳＣ上にアスペクト比４：３の映像Ｖ１０をスタック投写している。複合映像Ｖ１０は、アスペクト比４：３の映像Ｖ１０の横幅Ｗを基準「１６」として、縦方向Ｈを、縦方向Ｈの上下部分に黒画面Ｂを設け、縮小して「９」の比率を確保することにより、４：３の画面構成の中に小さな１６：９のＷＳＶＧＡ（1024×600）のワイド映像を作り出している。
【０００４】
【特許文献１】特開２０００−３３８９４１号公報
【発明の開示】
【発明が解決しようとする課題】
【０００５】
しかしながら、複数のプロジェクタでスタック投写するためには、人手で時間を掛けてそれぞれのプロジェクタ映像の大きさ、フォーカス、スタック状態などを設定しなければならなかった。また、図８の構成にて１６：９の映像を投写することは可能なものの、黒画面Ｂが必要となるため、黒画面Ｂの部分に相当する領域分の解像度が落ちてしまい、高解像度のＷＸＧＡ（1280×768）のワイド映像を得ることは困難であった。さらに、大型スクリーンに拡大投写するため、画素が拡大されることにより解像度の低さが際立ってしまう。また、アスペクト比１６：９のワイド映像で高解像度を得られる専用のプロジェクタは、一般のアスペクト比４：３のプロジェクタに比べて高価であり、鑑賞用途のために新たに専用の高価なプロジェクタを購入するのは効率が良くなかった。
【０００６】
このような問題を解決するために、本発明では、高輝度のスタック投写映像と、高解像度のワイド映像とを、簡便に切替え可能なプロジェクタシステムおよびプロジェクタを提供することを目的とする。
【課題を解決するための手段】
【０００７】
前記目的を達成するために、本発明に係るプロジェクタシステムによれば、複数のプロジェクタが投写する映像を複合することにより複合映像を形成するプロジェクタシステムであって、複合映像の基準となるマスター映像を投写するマスタープロジェクタと、マスタープロジェクタと電気的に接続し、マスター映像と複合することにより複合映像を形成するスレーブ映像を投写するスレーブプロジェクタとを備え、複合映像は、マスター映像およびスレーブ映像とを重畳したスタック映像と、マスター映像およびスレーブ映像とを並べたワイド映像と、を含み、マスタープロジェクタは、複数の複合映像の中から選択された１つの複合映像の基準となるマスター映像を投写するとともに選択された複合映像を示す表示モード情報をスレーブプロジェクタに送り、スレーブプロジェクタは、マスタープロジェクタからの表示モード情報に基づき、スレーブ映像を投写することを特徴とする。
【０００８】
この構成によれば、本発明のプロジェクタシステムが投写する複合映像は、マスター映像およびスレーブ映像とを重畳したスタック映像と、マスター映像およびスレーブ映像と並べたワイド映像と、を含む。よって、スタック映像は、マスターおよびスレーブプロジェクタそれぞれの投写映像が重畳されたものであるため、複合映像の輝度は、マスター映像の輝度にスレーブ映像の輝度を加えたものとなり、高輝度を得ることができる。
また、ワイド映像は、マスターおよびスレーブプロジェクタそれぞれの投写映像を並べたものであるため、複合映像の解像度は、マスター映像の解像度にスレーブ映像の解像度を加えたものとなり、高解像度を得ることができる。
さらに、複数の複合映像の中から選択された１つの複合映像を投写することから、複合映像の切替えが可能である。
【０００９】
よって、本発明のプロジェクタシステムは、高輝度のスタック映像は投写可能なものの、同一のシステムでは、高解像度のワイド映像を得ることが困難であった従来のプロジェクタシステムと異なり、同一のシステムにより高輝度のスタック投写映像と、高解像度のワイド映像とを、切替え投写することが可能である。
また、スレーブプロジェクタは、マスタープロジェクタからの表示モード情報に基づき、スレーブ映像を投写することから、マスタープロジェクターに対して、投写したい複合映像を選択することにより、所望の複合映像を得ることができる。
従って、高輝度のスタック投写映像と、高解像度のワイド映像とを、簡便に切替え可能なプロジェクタシステムを提供することができる。
【００１０】
本発明に係るプロジェクタは、複数のプロジェクタが投写する映像を複合することにより複合映像を形成し、複合映像の基準となるマスター映像を投写するマスタープロジェクタと、マスター映像と重畳することにより複合映像としてのスタック映像を生成し、またはマスター映像と並べることにより複合映像としてのワイド映像を生成するスレーブ映像を投写するスレーブプロジェクタとを含んで構成されるプロジェクタシステムのマスタープロジェクタとして動作可能なプロジェクタであって、複合映像の形成を指示する操作がなされると指示された複合映像に対応した操作信号を出力する操作受付け部と、複数の複合映像ごとのマスター映像の大きさ、投写位置、フォーカスに関する設定情報を記憶する記憶部と、スレーブプロジェクタと指示された複合映像を示す表示モード情報を含む情報を送信および受信するための通信部と、マスター映像を投写するための複数のレンズから構成された投写レンズと、投写レンズのズーム、投写位置、フォーカスを調整する複数のアクチュエータを含む投写レンズ調整部と、操作受付け部からの操作信号に応じて、指示された複合映像のマスター映像に関する設定情報を記憶部から引き当て、引き当てた設定情報に沿って投写レンズ調整部に調整コマンドを出力する制御部と、を備え、制御部は、調整コマンドを出力すると、スレーブプロジェクタに表示モード情報を送ることを特徴とする。
【００１１】
この構成によれば、プロジェクタの制御部は、操作受付け部からの操作信号に応じて、指示された複合映像のマスター映像に関する設定情報を記憶部から引き当て、引き当てた設定情報に沿って投写レンズ調整部に調整コマンドを出力し、さらにスレーブプロジェクタに表示モード情報を送ることから、指示された複合映像の設定情報に沿ってマスター映像投写するとともに、スレーブプロジェクタが指示された複合映像のスレーブ映像を投写するように制御する。
従って、選択された複合映像の基準となるマスター映像を投写するとともにスレーブプロジェクタのスレーブ映像の投写を制御するマスタープロジェクタとして機能するプロジェクタを提供することができる。
【００１２】
本発明に係るプロジェクタは、複数のプロジェクタが投写する映像を複合することにより複合映像を形成し、複合映像の基準となるマスター映像を投写するマスタープロジェクタと、マスター映像と重畳することにより複合映像としてのスタック映像を生成し、またはマスター映像と並べることにより複合映像としてのワイド映像を生成するスレーブ映像を投写するスレーブプロジェクタとを含んで構成されるプロジェクタシステムのスレーブプロジェクタとして動作可能なプロジェクタであって、複数の複合映像ごとのスレーブ映像の大きさ、投写位置、フォーカスに関する設定情報を記憶する記憶部と、投写する複合映像の種類を示す表示モード情報を含む情報を前記マスタープロジェクタとやり取りするための通信部と、スレーブ映像を投写するための複数のレンズから構成される投写レンズと、投写レンズのズーム、投写位置、フォーカスを調整する複数のアクチュエータを含む投写レンズ調整部と、マスタープロジェクタからの表示モード情報に沿って、指示された複合映像のスレーブ映像に関する設定情報を記憶部から引き当て、引き当てた設定情報に沿って投写レンズ調整部に調整コマンドを出力する制御部とを、含むことを特徴とする。
【００１３】
この構成によれば、プロジェクタの制御部は、マスタープロジェクタからの表示モード情報に沿って、指示された複合映像のスレーブ映像に関する設定情報を記憶部から引き当て、引き当てた設定情報に沿って投写レンズ調整部に調整コマンドを出力することから、マスタープロジェクタからの表示モード情報に従い、指示された複合映像のスレーブ映像を設定情報に沿って投写する。
従って、マスタープロジェクタの制御に従い、選択された複合映像を構築するためのスレーブ映像を投写するスレーブプロジェクタとして機能するプロジェクタを提供することができる。
【００１４】
本発明に係るマスタープロジェクタとして機能するプロジェクタによれば、プロジェクタは、記憶部に、マスター映像の形状に関する設定情報をさらに記憶するとともに、入力された映像信号にて表される映像の形状を補正する処理を映像信号に施す映像信号処理部を、さらに備えることが好ましい。
【００１５】
この構成によれば、プロジェクタは、映像信号にて表される映像の形状を補正する処理を映像信号に施す映像信号処理部をさらに備えることから、映像の大きさ、投写位置、フォーカスに加えて、形状も補正可能となる。よって、映像信号に規定された映像に近い形状のマスター映像を投写することができる。
従って、映像信号に忠実な映像の投写が可能なマスタープロジェクタとして機能するプロジェクタを提供することができる。
【００１６】
本発明に係るスレーブプロジェクタとして機能するプロジェクタによれば、プロジェクタは、記憶部に、スレーブ映像の形状に関する設定情報をさらに記憶するとともに、入力された映像信号にて表される映像の形状を補正する処理を映像信号に施す映像信号処理部を、さらに備えることが好ましい。
【００１７】
この構成によれば、プロジェクタは、映像信号にて表される映像の形状を補正する処理を映像信号に施す映像信号処理部をさらに備えることから、映像の大きさ、投写位置、フォーカスに加えて、形状も補正可能となる。よって、映像信号に規定された映像に近い形状のスレーブ映像を投写することができる。
従って、映像信号に忠実な映像の投写が可能なスレーブプロジェクタとして機能するプロジェクタを提供することができる。
【００１８】
本発明に係るマスタープロジェクタとして機能するプロジェクタは、投写されたマスター映像を撮像するためのエリアセンサと、エリアセンサにより撮像された映像を解析し、マスター映像の大きさ、形状、フォーカスを検出する画像解析部とを、さらに備えることが好ましい。
【００１９】
この構成によれば、プロジェクタは、エリアセンサと、エリアセンサにより撮像された映像を解析し、マスター映像の大きさ、形状、フォーカスを検出する画像解析部とを備えることから、投写されているマスター映像の状態を正確に検出することができる。
よって、投写されているマスター映像が、マスター映像の設定情報通りになるように調整することができる。
従って、より映像信号に忠実な映像の投写が可能なマスタープロジェクタとして機能するプロジェクタを提供することができる。
【００２０】
本発明に係るスレーブプロジェクタとして機能するプロジェクタは、投写されたスレーブ映像を撮像するためのエリアセンサと、エリアセンサにより撮像された映像を解析し、スレーブ映像の大きさ、形状、フォーカスを検出する画像解析部とを、さらに備えることが好ましい。
【００２１】
この構成によれば、プロジェクタは、エリアセンサと、エリアセンサにより撮像された映像を解析し、スレーブ映像の大きさ、形状、フォーカスを検出する画像解析部とを備えることから、投写されているスレーブ映像の状態を正確に検出することができる。
よって、投写されているスレーブ映像が、スレーブ映像の設定情報通りになるように調整することができる。
従って、より映像信号に忠実な映像の投写が可能なスレーブプロジェクタとして機能するプロジェクタを提供することができる。
【００２２】
本発明に係るプロジェクタシステムは、前記マスタープロジェクタとして機能するプロジェクタをマスタープロジェクタとし、前記スレーブプロジェクタとして機能するプロジェクタをスレーブプロジェクタとする２台のプロジェクタにより構成されることが好ましい。
【００２３】
この構成によれば、プロジェクタシステムは、マスタープロジェクタと、スレーブプロジェクタとの、２台のプロジェクタにより構成されることから、シンプルな構成である。
また、それぞれのプロジェクタは、大量生産されている安価なプロジェクタとほぼ同様な構成であることから、安価に製造することができる。
従って、高輝度のスタック投写映像と、高解像度のワイド映像とを、切替え可能で、安価でシンプルな構成のプロジェクタシステムを提供することができる。
【００２４】
本発明に係るマスタープロジェクタとして機能するプロジェクタによれば、記憶部は、複数の複合映像ごとのスレーブ映像の大きさ、投写位置、フォーカスに関する設定情報をさらに記憶し、操作受付け部は、マスタープロジェクタとしての機能とスレーブプロジェクタとしての機能とを切替える主従切替え操作がなされると、主従切替え操作情報を含む操作信号を出力し、制御部は、操作受付け部からの操作信号に応じて、操作受付け部の機能を停止し、通信部に入力するスレーブ映像の表示モード情報に沿ってスレーブ映像を投写することが好ましい。
【００２５】
この構成によれば、プロジェクタの制御部は、通信部に入力する表示モード情報に沿ってスレーブ映像を投写することから、プロジェクタは、スレーブプロジェクタとして機能する。
従って、マスタープロジェクタとしての機能と、スレーブプロジェクタとしての機能とを、選択可能なプロジェクタを提供することができる。
【００２６】
本発明に係るプロジェクタシステムによれば、マスター映像およびスレーブ映像は、それぞれが４：３のアスペクト比を有し、スタック映像はアスペクト比４：３であり、ワイド映像はアスペクト比１６：９であることが好ましい。
【００２７】
この構成によれば、マスタープロジェクタおよびスレーブプロジェクタは、安価なアスペクト比４：３の汎用プロジェクタをベース機種として構成することができる。
また、ビジネス用途で必要なアスペクト比４：３の高輝度のスタック投写映像と、鑑賞用途で必要なアスペクト比１６：９の高解像度のワイド映像とを、１つのプロジェクタシステムで切替え投写することができる。
従って、簡便な構成により高輝度のスタック投写映像と、高解像度のワイド映像とを、切替え可能なプロジェクタシステムを提供することができる。
【発明を実施するための最良の形態】
【００２８】
以下、添付図面に基づいて、本発明の実施形態を詳細に説明する。
（実施形態１）
《プロジェクタシステムの概要》
図１は、本発明の一実施形態におけるプロジェクタシステムの設置概要図である。
プロジェクタシステム２００は、マスタープロジェクタ２０１と、スレーブプロジェクタ２０２とから構成されている。以下の説明において、マスタープロジェクタ２０１が投写する映像をマスター映像、スレーブプロジェクタ２０２が投写する映像をスレーブ映像、マスター映像とスレーブ映像とにより形成される映像を複合映像という。
【００２９】
スクリーンＳＣは、アスペクト比４：３の例えば、３００インチのスクリーンである。
プロジェクタシステム２００は、例えばホテルの大ホールの天井に設置されており、スクリーンＳＣにマスター映像とスレーブ映像とを重なりをもって並べた複合映像としてのアスペクト比１６：９のワイド映像Ｖｗを投写している。
プロジェクタシステム２００は、アスペクト比４：３のマスター映像と同一の画面サイズを持つスレーブ映像とを重畳させた複合映像としてのスタック映像、または、ワイド映像Ｖｗの内、選択されたどちらか１つの複合映像を投写する。
【００３０】
マスタープロジェクタ２０１には、例えばＰＣ（パーソナルコンピュータ）、ＤＶＤ（Digital Versatile Disk）プレーヤなどの外部電子機器（いずれも図示せず）を外部映像ソース２０３として、様々な形式の映像信号などが入力する。
マスタープロジェクタ２０１と、スレーブプロジェクタ２０２とは、通信ケーブル１，２を介して電気的に接続されている。
【００３１】
《マスタープロジェクタの概要》
図２は、本発明の一実施形態におけるプロジェクタシステムの概略構成図である。
まず、マスタープロジェクタ２０１の概略構成について説明する。マスタープロジェクタ２０１は、光源としてのランプ３が放射した光を、赤色光、青色光、緑色光の光の３原色成分に分離し、各色光毎に光変調素子としての各色光用の液晶ライトバルブ４Ｒ，４Ｇ，４Ｂにより映像信号に応じて変調し、再度合成してスクリーンＳＣに投写する、いわゆる「液晶３板式プロジェクタ」である。
図２においてスクリーンＳＣは、作画の都合上、マスタープロジェクタ２０１と、スレーブプロジェクタ２０２のそれぞれに分割して描写されているが、スクリーンＳＣは、図１に示すように一体である。
マスタープロジェクタ２０１は、ランプ３、光学部４、操作部５、リモコン６、Ａmp７、映像コンバータ８、映像信号処理部９、映像メモリ１０、映像補正部１１、ＯＳＤメモリ１２、液晶パネル駆動部１３、ランプ駆動部１４、投写レンズ１５、投写レンズ調整部１６、通信部１７、操作受付け部１８、電源部１９、制御部２０、記憶部２１、画像解析部２２などから構成されている。
【００３２】
ランプ３は、例えば、高圧水銀ランプや、メタルハライドランプ及びハロゲンランプなどの高輝度が得られる放電式ランプである。
光学部４は、ランプ３が放射する白色光を輝度分布の安定した略平行光に変換するインテグレータ光学系と、輝度分布の安定した白色光を光の３原色である赤色、緑色、青色の各色光成分に分離して各色光用の液晶ライトバルブ４Ｒ，４Ｇ，４Ｂに供給する分離光学系（いずれも図示せず）と、液晶ライトバルブ４Ｒ，４Ｇ，４Ｂにて各色光毎に映像信号に応じて変調された各色光を、再度合成する合成光学系２３とを含んで構成されている。なお、インテグレータ光学系および分離光学系については、本発明の本旨ではないため、詳細な説明を省略する。
液晶ライトバルブ４Ｒは赤色光用、４Ｇは緑色光用、４Ｂは青色光用であり、それぞれが、同一の画面サイズを持ち、アスペクト比は４：３で例えば、解像度ＸＧＡ（1024×768）である。
合成光学系２３は、青色光を反射し緑色光を透過するダイクロイック膜と、赤色光を反射し緑色光を透過するダイクロイック膜などを備えたクロスダイクロイックプリズムである。
【００３３】
ランプ３が放射した白色光は、光学部４に入射し、インテグレータ光学系および分離光学系により輝度分布の安定した略平行な各色光成分に分離され、液晶ライトバルブ４Ｒ，４Ｇ，４Ｂにて各色光毎に映像信号に応じて変調された後、合成光学系２３により合成されて、映像信号に応じて変調されたフルカラーの変調光として射出される。
【００３４】
操作部５は、マスタープロジェクタ２０１の外装部の天面に設けられており、複数の操作ボタンを備えている。操作ボタンには、マスタープロジェクタ２０１を起動および終動させるための「電源ボタン」や、例えば、複合映像によるアスペクト比４：３の高輝度のスタック投写映像と、アスペクト比１６：９の高解像度のワイド映像との表示モードを切替えるための「表示モード切替ボタン」、マスタープロジェクタとスレーブプロジェクタの機能を切替えるための「主従切替ボタン」、各種機能を選択する「十字型ボタン」や、十字型ボタンで選定した機能を実行するための「決定ボタン」、などの複数のスイッチ（いずれも図示せず）が設けられている。
以降、表示モードとは、複合映像の表示形式を示すこととして説明する。
リモコン６は、操作部５と同様の複数のボタンを備えており、これらのボタンが操作されると、それぞれのボタンに属する機能の操作情報を赤外線により後述する操作受付け部１８に送る。
マスタープロジェクタ２０１は、操作部５や、リモコン６により操作が可能である。
【００３５】
Ａmp７は、オペアンプなどから構成されたビデオアンプであり、選択された外部映像ソース２０３から入力する映像信号を増幅して映像コンバータ８に送るとともに、通信ケーブル１を介して後述するスレーブプロジェクタ２０２に映像信号を伝送する。
通信ケーブル１は、例えば、ミニＤ-sub１５ピン端子を両端末に備えた通信ケーブルであり、１５本の信号線を使い分けることによりアナログＲＧＢ信号、コンポーネント信号、Ｓ（Separate）信号、コンポジット信号などの複数の映像信号の中から、選択された映像信号を、それぞれ伝送することができる。
【００３６】
なお、図示はしていないが、Ａmp７の前段には入力セレクタが設けられており、例えば、ＰＣやＤＶＤプレーヤなどの複数の映像ソースの中から、選択された映像ソースの映像信号をＡmp７に入力する。外部映像ソース２０３は、操作部５またはリモコン６の操作により選択される。マスタープロジェクタ２０１の外部映像ソース２０３のデフォルト値は、ＰＣからのアナログＲＧＢ信号による、アスペクト比４：３の映像に設定されている。
また通信ケーブル１は、Ｓ信号用のＳ端子コネクタ、またはコンポジット信号用のＲＣＡコネクタを両端末に備えた通信ケーブルを想定してもよい。
【００３７】
映像コンバータ８は、入力した映像信号Ｖinに後述する様々な映像信号処理を施すことができるように、映像信号Ｖinに、映像信号Ｖinをアナログ信号からデジタル信号に変換するＡ／Ｄ変換処理などを施し、デジタル映像信号Ｄinとして出力する。
映像コンバータ８は、映像信号ＶinがＰＣからのアナログＲＧＢ信号または、ＤＶＤプレーヤなどからのコンポーネント信号の場合は、そのままＡ／Ｄ変換処理を含む映像信号処理を施す。映像信号Ｖinが、例えばＳ（Separate）ビデオプレーヤからのＳ信号または、ビデオプレーヤなどからのコンポジット信号の場合は、内蔵するデコーダにより、デジタルのコンポーネント信号に変換し、デジタル映像信号Ｄinとして出力する。
【００３８】
映像信号処理部９は、映像コンバータ８から入力するデジタル映像信号Ｄinを、液晶ライトバルブ４Ｒ，４Ｇ，４Ｂで表示するのに適した信号とするために、映像データを映像メモリ１０に書き込み、所定の条件で読み出すなどの映像信号処理を行う。映像信号処理には、映像信号Ｄinで表される映像を拡大および縮小することにより液晶ライトバルブ４Ｒ，４Ｇ，４Ｂの持つ解像度に合わせるスケーリング処理や、１秒間における描画更新回数を液晶ライトバルブ４Ｒ，４Ｇ，４Ｂの仕様に合わせるフレームレート変換などが含まれる。映像信号処理部９は、例えば複合映像の表示モードがアスペクト比１６：９の高解像度のワイド映像に選択されている場合、後述する映像信号Ｄinにて表される映像からワイド映像の基準となるマスター映像部分を切り出す処理や、後述する台形補正処理も行う。映像信号Ｄinは、このような映像信号処理が施され、デジタル映像信号Ｄscとして出力される。
【００３９】
図３は、図１のワイド映像Ｖｗの画面構成を示す図である。図３を用いて、ワイド映像の画面構成について説明する。アスペクト比１６：９のワイド映像Ｖｗは、マスタープロジェクタ２０１が投写するマスター映像Ｖｍと、スレーブプロジェクタ２０２が投写するスレーブ映像Ｖｓとから構成されている。
マスター映像Ｖｍは、アスペクト比４：３の映像であるため、縦方向の比（３）をワイド映像Ｖｗの縦方向の比「９」と見なして、ワイド映像Ｖｗの左辺を起点にした映像となっている。スレーブ映像Ｖｓも、アスペクト比４：３の映像であるため、縦方向の比（３）をワイド映像Ｖｗの縦方向の比「９」と見なして、ワイド映像Ｖｗの右辺を起点にした映像となっている。
マスター映像Ｖｍと、スレーブ映像Ｖｓとは、領域Ｌの重畳を持って、並べて形成されている。マスター映像Ｖｍの領域Ｌにおける輝度は、スレーブ映像Ｖｓとの重なり部分の開始辺から終了辺までの間で、例えば、徐々に画像データの階調を下げて行くことにより徐々に輝度が下がる設定とする。同様に、スレーブ映像Ｖｓの領域Ｌにおける輝度も、徐々に輝度が下がる設定となっているため、ワイド映像Ｖｗに表される映像は輝度の一定した映像となっている。
【００４０】
図２に戻る。映像補正部１１は、映像信号処理部９からのデジタル映像信号Ｄscに、映像信号Ｄscの有する階調値を液晶ライトバルブ４Ｒ，４Ｇ，４Ｂで表示するのに適した階調値に変換するγ補正や、液晶ライトバルブ４Ｒ，４Ｇ，４Ｂに固有の輝度むらなどに起因する色むら補正処理を施し、映像信号Doutとして出力する。
さらに映像補正部１１は、後述する制御部２０からの映像信号Doutに定型文字情報を重畳させるためのＯＳＤ（On-Screen Display）コマンドにより、例えば、表示モードの選択メニュー表示や、各種操作による動作状況等を、映像信号Doutで表される映像に重畳するＯＳＤ機能のための映像処理を施す。
ＯＳＤメモリ１２には、ＯＳＤ機能において、投写映像に重畳される「ワイド映像」などのＯＳＤ表示情報や、映像信号が入力されていないときの待ち受け画面表示などが格納されている。また、後述するＣＣＤ２５によるマスター映像の撮像の際に、テストパターンとして投写される複数の映像パターンが記憶されている。
映像補正部１１は、制御部２０からのＯＳＤコマンドにより、ＯＳＤメモリ１２から該当するＯＳＤ表示情報を引き当て、映像信号Doutに加えて出力する。
【００４１】
液晶パネル駆動部１３は、液晶ライトバルブ４Ｒ，４Ｇ，４Ｂに映像補正部１１から入力した映像信号Doutと、駆動電圧などを供給し、液晶ライトバルブ４Ｒ，４Ｇ，４Ｂに映像を写し出す。
ランプ駆動部１４は、後述する電源部１９からの電力供給を受け、放電式ランプであるランプ３を点灯するために高電圧を発生して放電経路を形成するイグナイタ回路と、点灯後の安定した点灯状態を維持するためのバラスト回路（いずれも図示せず）を備えている。
投写レンズ１５は、複数の凹凸レンズなどから構成されており、光学部４からの変調光を拡大して投写光とし、スクリーンＳＣに映像を投写する。投写レンズ１５は、投写光の拡大率を調整するズーム機能や、投写光の焦点を調整するフォーカス機能および投写光の投写位置を調整するレンズシフト機能などに対応している。
【００４２】
投写レンズ調整部１６は、複数のアクチュエータとしての圧電モータＭＦ，ＭＸ，ＭＹ，ＭＺと、それぞれの圧電モータを駆動する駆動回路（図示せず）などを備えており、後述する制御部２０からの調整コマンドにより、投写レンズの調整を行う。圧電モータＭＦはフォーカス調整、圧電モータＭＺはズーム調整を、それぞれの圧電モータに対応する投写レンズを構成するレンズの移動により行う。圧電モータＭＸ，ＭＹは、スクリーンＳＣに投写された映像の上下方向をＹ軸、左右方向をＸ軸として、それぞれがＸ軸方向とＹ軸方向のレンズシフト調整を、例えば投写レンズ１５全体を移動させることにより行う。
圧電モータＭＦ，ＭＸ，ＭＹ，ＭＺには、各圧電モータの回転数を検出するための回転数検出センサーとして例えばロータリーエンコーダが設けられている。ロータリーエンコーダからの回転数の検出信号は、投写レンズ調整部１６を介して、制御部２０に送られる。制御部２０は、記憶部２１に記憶された回転数と各調整量との相関テーブルから、回転検出信号に応じたズーム、フォーカス、レンズシフトの調整量を引き当て、設定情報として記憶部２１に記憶させることができる。同様に、記憶された設定情報により、各調整を行った後に、設定情報通りの調整が行われたかどうか回転検出信号により把握することができる。
【００４３】
通信部１７は、例えばシリアルポートであり、ＵＳＢ（Universal Serial Bus）、またはＲＳ２３２Ｃ（Recommended Standard 232 version C）に対応した通信ケーブル２によりスレーブプロジェクタ２０２と接続している。通信部１７は、制御部２０からの送信コマンドにより、後述する表示モード情報を、通信ケーブル２を介してスレーブプロジェクタ２０２に送る。
【００４４】
操作受付け部１８は、操作部５への操作または、リモコン６への操作がなされると、操作を受付け、後述する制御部２０へ各種動作のトリガとなる操作信号を出力する。
電源部１９は、外部電源２４からの交流電力をプラグから導き、内蔵するＡＣ／ＤＣ変換部（いずれも図示せず）にて変圧、整流および平滑するなどの処理を施すことにより安定化させた直流電圧をプロジェクタ２０１の各部に供給する。
【００４５】
制御部２０は、ＣＰＵ（Central Processing Unit）であり、バスラインＢusを介して、各部との信号のやり取りを行い、また、操作受付け部１８からの操作信号などに沿って各部の動作を制御する。
例えば、制御部２０は、リモコン６の「表示モード切替ボタン」の操作により操作受付け部１８から操作信号が入力すると、後述する記憶部２１から選択された複合映像としての例えばワイド映像のマスター映像に関する設定情報を読み出し、投写レンズ調整部１６に調整コマンドを、映像信号処理部９には、映像調整コマンドを出力する。さらに、調整コマンドと同期して、ワイド映像の識別情報を含んだ表示モード情報を、通信部１７を介してスレーブプロジェクタ２０２に送る。
また、制御部２０は、前述したＯＳＤ機能を司る。例えば、選択された表示モードに該当するＯＳＤ表示情報をＯＳＤメモリ１２から引き当てるための情報を含んだＯＳＤコマンドを、前記調整コマンドに同期して、映像補正部１１に送る。
【００４６】
記憶部２１は、例えば、フラッシュメモリなどデータの書き換えが可能な不揮発性のメモリにより構成されている。記憶部２１には、例えば、プロジェクタ２０１を起動させるときの起動ルーチンや、プロジェクタ２０１の動作を制御するための様々な動作ルーチンなどのプログラム、および、表示モードが選択されたときの複数の表示モードごとのマスター映像の大きさ、投写位置、フォーカスおよび形状に関する設定情報などを含む各種情報が記憶されている。
また、記憶部２１は、マスタープロジェクタとスレーブプロジェクタの機能を切替える主従切替えが選択された場合に対応して、複数の表示モードごとのスレーブ映像の大きさ、投写位置、フォーカスおよび形状に関する設定情報と、マスタープロジェクタ２０１の制御に従うスレーブプロジェクタ２０２に必要な動作制御プログラムなどを記憶している。
【００４７】
画像解析部２２は、投写されたマスター映像を撮像するエリアセンサとしてのＣＣＤ（Charge Couple Device）２５と、ＣＣＤ２５が撮像したマスター映像の輝度に応じたアナログ量の電圧値をデジタル諧調値に変換するためのＡ／Ｄ変換回路（図示せず）などにより構成されている。
【００４８】
《スレーブプロジェクタの概要》
続いて、スレーブプロジェクタ２０２の構成について説明する。スレーブプロジェクタ２０２は、マスタープロジェクタ２０１と同一の構成および機能を備えている。
スレーブプロジェクタ２０２は、マスタープロジェクタ２０１にマスタープロジェクタとスレーブプロジェクタの機能を切替える主従切替え操作を行い、スレーブプロジェクタとして機能させている。以降、この状態をスレーブ機能選択状態という。
図２におけるスレーブプロジェクタ２０２の各構成部位は、マスタープロジェクタ２０１と同一であるが、説明における区分を明確にするため、各部位の名称に「Ｓ」を付して説明する。
【００４９】
スレーブプロジェクタ２０２は、Ｓランプ１０３、Ｓ光学部１０４、Ｓ操作部１０５、Ｓリモコン１０６、ＳＡmp１０７、Ｓ映像コンバータ１０８、Ｓ映像信号処理部１０９、Ｓ映像メモリ１１０、Ｓ映像補正部１１１、ＳＯＳＤメモリ１１２、Ｓ液晶パネル駆動部１１３、Ｓランプ駆動部１１４、Ｓ投写レンズ１１５、Ｓ投写レンズ調整部１１６、Ｓ通信部１１７、Ｓ操作受付け部１１８、Ｓ電源部１１９、Ｓ制御部１２０、Ｓ記憶部１２１、Ｓ画像解析部１２２などから構成されている。各部位の構成および機能については、マスタープロジェクタ２０１の対応する各部位での説明と同様であるので説明を省略する。
また、上記構成にはＳリモコン１０６が含まれているが、スレーブ機能選択状態においては、全てのリモコン操作を受付けない設定となっているため、図示していない。Ｓ操作受付け部１１８は、機能を停止している。なお、スレーブ機能選択状態の解除は、Ｓ操作部１０５の操作やマスタープロジェクタからの指示によって行われる。
【００５０】
スレーブ機能選択状態において、スレーブプロジェクタ２０２の起動や終動、スレーブ映像の大きさや、フォーカス調整などの様々な操作は、リモコン６などの操作により、マスタープロジェクタ２０１側で行う。例えば、リモコン６の操作により、マスター映像にスレーブ映像の調整メニューをＯＳＤ表示させ、ズームまたはフォーカスメニューを選択し、調整度合いを決めてから「決定ボタン」を操作すると、制御部２０により、通信部１７から、スレーブ映像を調整するための調整コマンドが出力される。
【００５１】
《設置時の初期設定処理》
続いて、図４を主体に、適宜、図１と図２を交えてプロジェクタシステム２００を設置するときに行う初期設定について説明する。図４は、図１のプロジェクタシステム２００を設置するときに行う表示モードの初期設定フローチャートである。
プロジェクタシステム２００は、図１に示すように、例えばホテルの大ホールにマスタープロジェクタ２０１とスレーブプロジェクタ２０２とが、２台重なった状態で、ホールの天井から吊り下げられた状態で設置される。この２段重ねの状態が、プロジェクタシステム２００の標準の設置状態である。
マスタープロジェクタ２０１は、工場出荷状態のデフォルト値のままのマスター機能選択状態であり、スレーブプロジェクタ２０２は、天井に設置する前に、スレーブ機能の選択設定がなされている。
初期設定を行う操作者は、リモコン６により、ホールの床側から、マスタープロジェクタ２０１を操作している。
【００５２】
ステップＳ１では、リモコン６の操作により、マスタープロジェクタ２０１およびスレーブプロジェクタ２０２の電源が投入されたことにより初期化動作がなされる。初期化動作には、マスタープロジェクタ２０１およびスレーブプロジェクタ２０２各部の回路の初期化や、記憶部２１およびＳ記憶部１２１に記憶されている自己診断プログラムなどの実行が含まれている。
マスタープロジェクタ２０１は、初期化動作により、スクリーンＳＣにデフォルトの青色無地のマスター映像を投写する。青色無地のマスター映像の左上には、ＯＳＤ機能により「表示モード切替ボタンを押してください」と表示される。この表示は、マスタープロジェクタ２０１の記憶部２１に、ユーザーによる過去の設定情報が記憶されていない場合に初期設定を促すために表示される。なお、マスター映像の大きさと、フォーカスについては、操作者により、ＯＳＤ表示が判読可能な状態に調整されている。
【００５３】
ステップＳ２では、制御部２０は、リモコン６の「表示モード切替ボタン」の操作の有無を、操作受付け部１８からの操作信号により判断する。操作がないときには、継続して操作を待ち受ける。操作が有ったときには、ステップＳ３へ進む。
ステップＳ３では、制御部２０は、「表示モード切替ボタン」の操作による操作受付け部１８からの操作信号をトリガとして、ＯＳＤ機能により「スタック映像？」という文字をマスター映像に重畳し、表示モードの確認を促す。
ステップＳ４では、制御部２０は、リモコン６の「表示モード切替ボタン」の操作の有無を、操作受付け部１８からの操作信号により判断する。操作が有ったときには、ステップＳ１５へ進む。ここでは、操作がなかったため、ステップＳ５へ進む。
ステップＳ５では、制御部２０は、リモコン６の「決定ボタン」の操作の有無を、操作受付け部１８からの操作信号により判断する。操作が所定の時間、例えば３０秒間なかったときには、ステップＳ２へ戻る。ここでは、操作が有ったため、ステップＳ６へ進む。
【００５４】
ステップＳ６では、ステップＳ５によりスタック映像の選択が確定したため、制御部２０は、映像信号処理部９、投写レンズ調整部１６、記憶部２１、画像解析部２２およびＣＣＤ２５などによりスタック映像におけるマスター映像の大きさ、投写位置、フォーカス、および形状の調整を行う。
図６は、一実施形態のテストパターンである。図７は、スクリーン位置検出の説明図である。
まず、制御部２０は、映像補正部１１に、ＯＳＤメモリ１２に記憶されている図６に示すテストパターンＴを映像信号に重畳させるためのＯＳＤコマンドを送る。続いて、フォーカス調整用の圧電モータＭＦを調整範囲の最小値から最大値まで徐々に変化させながら、白色ベースに黒色の縦ストライプの投写映像を撮像し、撮像した投写映像のコントラスト値が最大となる調整位置を検出する。このフォーカス調整は、ＣＣＤ２５の検出信号の高周波成分が、フォーカスが合ったときに最大になることを利用している。
【００５５】
続いて、制御部２０は、映像補正部１１により白色無地の映像を投写させる。制御部２０は、ズーム調整用の圧電モータＭＺを調整範囲の最大値から最小値まで徐々に変化させながら、白色無地の投写映像を撮像し、撮像した投写映像の水平走査線方向で輝度が大きく変化する点を検出する。図７に示すように輝度が大きく変化する点が、スクリーンＳＣの端点となる。同様に、垂直走査線方向で輝度が大きく変化する点を検出する。これにより、スクリーンＳＣの大きさと位置が把握されたため、記憶部２１のスタック映像の設定情報からスクリーンＳＣに応じたマスター映像の大きさと投写位置を規定した構成データを読込み、レンズシフト用の圧電モータＭＸ，ＭＹおよび、ズーム調整用の圧電モータＭＺにより、白色無地のマスター映像を投写する。
【００５６】
さらに制御部２０は、投写された白色無地のマスター映像を撮像および解析し、記憶部２１の設定情報としての構成データと比較する。解析結果と構成データにあらかじめ定められた許容値よりも大きな相違があるときには、再度圧電モータＭＸ，ＭＹおよび、ＭＺを駆動して再調整し、再度撮像および解析を行う。制御部２０は、解析結果と構成データとの差が、許容値以内になるまで、撮像、解析および複数の圧電モータによる調整を行う。
また、このタイミングで、前述したフォーカス調整を再度行うこととしても良い。これにより、さらに鮮明なマスター映像を得ることができる。
【００５７】
続いて、制御部２０は、フォーカスおよび大きさの調整がなされた白色無地の投写映像を撮像し、撮像した台形映像の対向辺の長さを比較して、台形歪の度合いを検出する。さらに、検出した台形歪の度合いに応じて、映像信号処理部９にて、映像信号のスケーリングの際に、投写する映像が検出した台形歪と垂直信号方向で逆の台形歪を持つ映像となるように映像信号処理を施す。
【００５８】
また、制御部２０は、映像信号処理部９に、スタック映像が選択されたことにより、入力映像信号Ｖinで表される映像をそのままの画面構成で投写するための映像調整コマンドを出力する。
【００５９】
ステップＳ７では、制御部２０は、ステップＳ６にて調整されたマスター映像の大きさ、投写位置、フォーカスを規定する各圧電モータに設置されたロータリーエンコーダからの検出信号によるパラメータや、映像信号処理部９でマスター映像の形状を補正するために使用するパラメータをスタック映像におけるマスター映像の設定情報として記憶部２１に記憶する。ここまでで、マスター映像の設定は終了したため、テストパターンによるマスター映像の投写を止め、ステップＳ８へ進む。
ステップＳ８では、制御部２０は、通信部１７を介してスレーブプロジェクタ２０２に、スタック映像の識別情報およびステップＳ６で調整したマスター映像の設定情報を含む表示モード情報を送る。
ステップＳ９では、スレーブプロジェクタ２０２のＳ制御部１２０は、マスタープロジェクタ２０１からの表示モード情報に従い、Ｓ映像信号処理部１０９、Ｓ投写レンズ調整部１１６、Ｓ記憶部１２１、Ｓ画像解析部１２２およびＣＣＤ１２５などによりスレーブ映像のフォーカスと、大きさおよび形状の調整を行う。
【００６０】
スレーブプロジェクタ２０２のＳ記憶部１２１には、プロジェクタシステム２００が、標準の設置状態となっているときに、マスタープロジェクタ２０１のマスター映像の設定情報と、予想されるスレーブ映像の設定情報との表示モードごとの映像相関テーブルが記憶されている。
Ｓ制御部１２０は、Ｓ記憶部１２１のスタック映像の映像相関テーブルより、マスター映像の設定情報から算出されるスレーブ映像の大きさ、投写位置、フォーカスおよび形状を規定した予想構成データを読出し、Ｓ映像信号処理部１０９やＳ投写レンズ調整部１１６などに調整コマンドを送る。
Ｓ制御部１２０は、前記調整がなされた投写レンズ１５から、白色無地のスレーブ映像を投写させる。
【００６１】
さらにＳ制御部１２０は、投写された白色無地のスレーブ映像を撮像および解析し、設定情報としての予想構成データと比較する。解析結果と予想構成データにあらかじめ定められた許容値よりも大きな相違があるときには、再度圧電モータＭＦ，ＭＸ，ＭＹおよび、ＭＺを駆動して再調整し、再度撮像および解析を行う。Ｓ制御部１２０は、解析結果と予想構想データとの差が、許容値以内になるまで、撮像、解析および複数の圧電モータによる調整を行う。
また、このタイミングで、前述したフォーカス調整を再度行うこととしても良い。これにより、さらに鮮明なスレーブ映像を得ることができる。
【００６２】
Ｓ制御部１２０は、表示モード情報により、Ｓ映像信号処理部１０９にマスター映像が投写している映像と同一の映像を投写するための映像調整コマンドを送る。
Ｓ映像信号処理部１０９は、Ｓ制御部１２０からの調整コマンドにより、マスター映像と同一の映像を表す映像信号Ｄscを出力する。
【００６３】
ステップＳ１０では、Ｓ制御部１２０は、ステップＳ９にて調整されたスレーブ映像の大きさ、投写位置、フォーカスおよび形状を規定する各圧電モータに設置されたロータリーエンコーダからの検出信号によるパラメータやＳ映像信号処理部１０９のパラメータをスタック映像におけるスレーブ映像の設定情報として記憶部２１に記憶する。
ステップＳ１１では、マスタープロジェクタ２０１の制御部２０は、ここまでのステップによりマスター映像およびスレーブ映像の設定が完了したため、入力している映像ソース２０３からの映像信号Ｖinにより、マスター映像およびスレーブ映像を投写させ、スタック映像を投写する。なお、スタック映像の場合、マスターおよびスレーブ映像ともに、同一の映像を投写するため、マスタープロジェクタ２０１およびスレーブプロジェクタ２０２ともに、入力映像信号Ｖinにて表される映像をそのまま投写する。
【００６４】
ステップＳ１２では、制御部２０は、設定されたスタック映像で良いかどうかを確認するため、ＯＳＤ機能により「映像決定？」という文字をスタック映像に重畳させ、「決定ボタン」の操作による映像の確認を促す。
「決定ボタン」が押されるまでの間は、操作者がリモコン６により、映像の修正を行うことが可能である。リモコン６の「映像調整ボタン」の操作により、「マスター映像ズーム」、「マスター映像投写位置」、「マスター映像フォーカス」、「マスター映像形状」などのメニューがＯＳＤ表示され、それらを選択および決定することにより、マスター映像を修正することができる。スレーブ映像についても、同様に修正することが可能である。ここでは、操作者による修正がなされた後、「決定ボタン」が操作されたため、ステップＳ１３へ進む。
【００６５】
ステップＳ１３では、制御部２０は、スタック映像の確認がなされたため、記憶部２１の設定情報を、操作者による修正がなされた投写中のスタック映像におけるマスター映像の設定情報に更新して、記憶する。
ステップＳ１４では、Ｓ制御部１２０は、スタック映像の確認がなされたため、Ｓ記憶部１２１の設定情報を、操作者による修正がなされた投写中のスタック映像におけるスレーブ映像の設定情報に更新して、記憶する。
【００６６】
続いて、ステップＳ４にて、「表示モード切替ボタン」の操作が有った場合について説明する。
ステップＳ１５では、制御部２０は、「表示モード切替ボタン」の操作が有ったことから、ＯＳＤ機能により、マスター映像に「ワイド映像？」という文字を重畳させ、表示モードの確認を促す。
ステップＳ１６では、制御部２０は、リモコン６の「表示モード切替ボタン」の操作の有無を、操作受付け部１８からの操作信号により判断する。操作が有ったときには、ステップＳ３に戻る。ここでは、操作がなかったため、ステップＳ１７へ進む。
ステップＳ１７では、制御部２０は、リモコン６の「決定ボタン」の操作の有無を、操作受付け部１８からの操作信号により判断する。操作が所定の時間、例えば３０秒間なかったときには、ステップＳ２へ戻る。ここでは、操作が有ったため、ステップＳ１８へ進む。
【００６７】
ステップＳ１８では、ステップＳ１７によりワイド映像の選択が確定したため、制御部２０は、映像信号処理部９、投写レンズ調整部１６、記憶部２１、画像解析部２２およびＣＣＤ２５などによりワイド映像におけるマスター映像のフォーカスと、大きさおよび形状の調整を行う。
まず、制御部２０は、映像補正部１１に、ＯＳＤメモリ１２に記憶されている図６に示すテストパターンを映像信号に重畳させるためのＯＳＤコマンドを送る。続いて、フォーカス調整用の圧電モータＭＦを調整範囲の最小値から最大値まで徐々に変化させながら、白色ベースに黒色の縦ストライプの投写映像を撮像し、撮像した投写映像のコントラスト値が最大となる調整位置を検出する。
【００６８】
続いて、制御部２０は、映像補正部１１により白色無地の映像を投写させる。制御部２０は、ズーム調整用の圧電モータＭＺを調整範囲の最大値から最小値まで徐々に変化させながら、白色無地の投写映像を撮像し、撮像した投写映像の水平走査線方向で輝度が大きく変化する点を検出する。同様に、垂直走査線方向で輝度が大きく変化する点を検出する。これにより、スクリーンＳＣの大きさと位置が把握されたため、記憶部２１のワイド映像の設定情報からスクリーンＳＣに対応したマスター映像の大きさと投写位置を規定する構成データを読込み、レンズシフト用の圧電モータＭＸ，ＭＹおよび、ズーム調整用の圧電モータＭＺにより、白色無地のマスター映像を投写する。
【００６９】
さらに制御部２０は、投写された白色無地のマスター映像を撮像および解析し、構成データと比較する。解析結果と構成データにあらかじめ定められた許容値よりも大きな相違があるときには、再度圧電モータＭＸ，ＭＹおよび、ＭＺを駆動して再調整し、再度撮像および解析を行う。制御部２０は、解析結果と構成データとの差が、許容値以内になるまで、撮像、解析および複数の圧電モータによる調整を行う。
また、このタイミングで、前述したフォーカス調整を再度行うこととしても良い。これにより、さらに鮮明なマスター映像を得ることができる。
【００７０】
続いて、制御部２０は、フォーカスおよび大きさの調整がなされた白色無地の投写映像を撮像し、撮像した台形映像の対向辺の長さを比較して、台形歪の度合いを検出する。検出した台形歪の度合いに応じて、映像信号処理部９において台形歪補正を行う。
また、制御部２０は、映像信号処理部９に、ワイド映像が選択されたことにより、映像信号Ｄinに規定された映像から、マスター映像となる部分を切り出すための映像調整コマンドを出力する。
【００７１】
ステップＳ１９では、ステップＳ１８にて調整されたマスター映像の大きさ、投写位置、フォーカス、および形状を規定する各圧電モータに設置されたロータリーエンコーダからの検出信号によるパラメータや映像信号処理部９のパラメータをワイド映像におけるマスター映像の設定情報として記憶部２１に記憶する。
ここまでで、マスター映像の設定は終了したため、テストパターンによるマスター映像の投写を止め、ステップＳ２０へ進む。
【００７２】
ステップＳ２０では、制御部２０は、通信部１７を介してスレーブプロジェクタ２０２に、ワイド映像の識別情報およびステップＳ１８で調整したマスター映像の設定情報を含む表示モード情報を送る。
ステップＳ２１では、スレーブプロジェクタ２０２のＳ制御部１２０は、マスタープロジェクタ２０１からの表示モード情報に従い、Ｓ映像信号処理部１０９、Ｓ投写レンズ調整部１１６、Ｓ記憶部１２１、Ｓ画像解析部１２２およびＣＣＤ１２５などによりスレーブ映像の大きさ、投写位置、フォーカスおよび形状の調整を行う。
【００７３】
Ｓ制御部１２０は、Ｓ記憶部１２１のワイド映像の映像相関テーブルより、マスター映像の設定情報から算出されるスレーブ映像の大きさ、投写位置、フォーカスおよび形状を規定した予想構成データを読出し、Ｓ映像信号処理部１０９やＳ投写レンズ調整部１１６などに調整コマンドを送る。
Ｓ制御部１２０は、調整がなされたＳ投写レンズ１１５から、白色無地のスレーブ映像を投写させる。
【００７４】
さらにＳ制御部１２０は、投写された白色無地のマスター映像を撮像および解析し、設定情報としての予想構成データと比較する。解析結果と予想構成データにあらかじめ定められた許容値よりも大きな相違があるときには、再度圧電モータＭＦ，ＭＸ，ＭＹおよび、ＭＺを駆動して調整し、再度撮像および解析を行う。Ｓ制御部１２０は、解析結果と予想構成データとの差が、許容値以内になるまで、撮像、解析および複数の圧電モータによる調整を行う。
また、このタイミングで、前述したフォーカス調整を再度行うこととしても良い。これにより、さらに鮮明なマスター映像を得ることができる。
【００７５】
ステップＳ２２では、Ｓ制御部１２０は、ステップＳ２１にて調整されたスレーブ映像の大きさ、投写位置、フォーカスおよび形状を規定する各圧電モータに設置されたロータリーエンコーダからの検出信号によるパラメータやＳ映像信号処理部１０９のパラメータをワイド映像におけるスレーブ映像の設定情報としてＳ記憶部１２１に記憶する。
ステップＳ２３では、マスタープロジェクタ２０１の制御部２０は、ここまでのステップによりマスター映像およびスレーブ映像の設定が完了したため、入力している映像ソース２０３からの映像信号Ｖinにより、マスター映像およびスレーブ映像を投写させ、ワイド映像を投写する。
【００７６】
ステップＳ２４では、制御部２０は、設定されたワイド映像で良いかどうかを確認するため、ＯＳＤ機能により「映像決定？」という文字をスタック映像に重畳させ、「決定ボタン」の操作による映像の確認を促す。
「決定ボタン」が押されるまでの間は、操作者がリモコン６により、映像の修正を行うことが可能である。リモコン６の「映像調整ボタン」の操作により、「マスター映像ズーム」、「マスター映像投写位置」、「マスター映像フォーカス」、「マスター映像形状」などのメニューがＯＳＤ表示され、それらを選択することにより、マスター映像を修正することができる。スレーブ映像についても、同様に修正することが可能である。ここでは、操作者による修正がなされた後、「決定ボタン」が操作されたため、ステップＳ２５へ進む。
【００７７】
ステップＳ２５では、制御部２０は、ワイド映像の確認がなされたため、Ｓ記憶部１２１の設定情報を、操作者による修正がなされた投写中のワイド映像におけるマスター映像の設定情報に更新して、記憶する。
ステップＳ２６では、Ｓ制御部１２０は、ワイド映像の確認がなされたため、Ｓ記憶部１２１の設定情報を、操作者による修正がなされた投写中のワイド映像におけるスレーブ映像の設定情報に更新して、記憶する。
【００７８】
《表示モード切替え処理》
続いて、図５を主体に、適宜、図２を交えてプロジェクタシステム２００の表示モード切替動作について説明する。図５は、プロジェクタシステム２００の、表示モード切替え動作フローチャートである。
【００７９】
ステップＳ３１では、リモコン６の操作により、マスタープロジェクタ２０１およびスレーブプロジェクタ２０２の電源が投入される。
ステップＳ３２では、まず、電源が投入されたことにより、初期化および映像設定としてマスタープロジェクタ２０１およびスレーブプロジェクタ２０２各部の回路の初期化などの初期化動作が行われる。
プロジェクタシステム２００は、前回プロジェクタシステム２００を使用し、終動したときの表示モード設定を記憶部２１に記憶し、次の使用時には、前回終動時の表示モード設定を起動時に再現するように設定されている。
なお、ここでは、前回終動時の表示モードがスタック映像であったとする。従って、初期化動作ではスタック映像の設定がなされる。
【００８０】
ステップＳ３２において、
（Ａ）では、制御部２０は、記憶部２１からスタック映像の表示モードにおけるマスター映像の設定情報を読込む。
（Ｂ）では、制御部２０は、（Ａ）にて読込んだ設定情報に沿って投写レンズ調整部１６にマスター映像の大きさ、投写位置、フォーカスを規定する調整コマンドを送り、投写レンズ１５を調整する。また、同期して、映像信号処理部９には、マスター映像の形状を補正するための調整コマンドと、入力映像信号Ｖinで表される映像をそのままの画面構成で投写するための映像調整コマンドを送る。
（Ｃ）では、制御部２０は、スレーブプロジェクタ２０２に、スタック映像の表示モード情報を送る。
（Ｄ）では、Ｓ制御部１２０は、Ｓ記憶部１２１からスタック映像の表示モードにおけるスレーブ映像の設定情報を読込む。
（Ｅ）では、Ｓ制御部１２０は、（Ｄ）にて読込んだ設定情報に沿ってＳ投写レンズ調整部１１６にスレーブ映像の大きさ、投写位置、フォーカスを規定する調整コマンドを送り、Ｓ投写レンズ１１５を調整する。また、同期して、Ｓ映像信号処理部１０９には、スレーブ映像の形状を補正するための調整コマンドと、入力映像信号Ｖinで表される映像をそのままの画面構成で投写するための映像調整コマンドを送る。
スタック映像の設定がなされたプロジェクタシステム２００は、外部映像ソース２０３からの映像信号Ｖinにより、スタック映像を投写する。
【００８１】
ステップＳ３３では、制御部２０は、リモコン６の「表示モード切替ボタン」の操作の有無を、操作受付け部１８からの操作信号により判断する。操作がないときには、継続して操作を待ち受ける。操作が有ったときには、ステップＳ３４へ進む。
ステップＳ３４では、制御部２０は、「表示モード切替ボタン」の操作により操作受付け部１８から操作信号が入力すると、映像補正部１１に選択した表示モードを確認させるための「ワイド映像？」とＯＳＤ表示させるためのＯＳＤコマンドを送る。
【００８２】
ステップＳ３５では、制御部２０は、リモコン６の「表示モード切替ボタン」の操作の有無を、操作受付け部１８からの操作信号により判断する。操作が有ったときには、ステップＳ４３へ進む。ここでは、操作がなかったため、ステップＳ３６へ進む。
ステップＳ３６では、制御部２０は、リモコン６の「決定ボタン」の操作の有無を、操作受付け部１８からの操作信号により判断する。操作が所定の時間、例えば３０秒間なかったときには、ステップＳ３３へ戻る。ここでは、操作が有ったため、ステップＳ３７へ進む。
【００８３】
ステップＳ３７では、制御部２０は、記憶部２１からワイド映像の表示モードにおけるマスター映像の設定情報を読込む。
ステップＳ３８では、制御部２０は、ステップＳ３７にて読込んだ設定情報に沿って投写レンズ調整部１６にマスター映像の大きさ、投写位置、フォーカスを規定する調整コマンドを送り、投写レンズ１５を調整する。また、同期して、映像信号処理部９には、マスター映像の形状を補正するための調整コマンドと、映像信号Ｄinに規定された映像から、マスター映像となる部分を切り出すための映像調整コマンドを送る。
ステップＳ３９では、制御部２０は、スレーブプロジェクタ２０２に、ワイド映像の表示モード情報を送る。
【００８４】
ステップＳ４０では、Ｓ制御部１２０は、Ｓ記憶部１２１からワイド映像の表示モードにおけるスレーブ映像の設定情報を読込む。
ステップＳ４１では、Ｓ制御部１２０は、ステップＳ４０にて読込んだ設定情報に沿ってＳ投写レンズ調整部１１６にスレーブ映像の大きさ、投写位置、フォーカスを規定する調整コマンドを送り、Ｓ投写レンズ１１５を調整する。
また、同期して、Ｓ映像信号処理部１０９には、スレーブ映像の形状を補正するための調整コマンドと、映像信号Ｄinに規定された映像から、スレーブ映像となる部分を切り出すための映像調整コマンドを送る。
ステップＳ４２では、ワイド映像の設定がなされたプロジェクタシステム２００は、外部映像ソース２０３からの映像信号Ｖinにより、ワイド映像を投写する。
【００８５】
続いて、ステップＳ３５にてリモコン６の「表示モード切替ボタン」の操作が有った場合について説明する。
ステップＳ４３では、制御部２０は、ＯＳＤ機能により「スタック映像？」という表示を投写映像に重畳させる。
ステップＳ４４では、制御部２０は、リモコン６の「表示モード切替ボタン」の操作の有無を、操作受付け部１８からの操作信号により判断する。操作が有ったときには、ステップＳ３４へ戻る。ここでは、操作がなかったため、ステップＳ４５へ進む。
ステップＳ４５では、制御部２０は、リモコン６の「決定ボタン」の操作の有無を、操作受付け部１８からの操作信号により判断する。操作が所定の時間、例えば３０秒間なかったときには、ステップＳ３３へ戻る。ここでは、操作は有ったが、既にスタック映像を投写しているため、ステップＳ３３へ戻る。
なお、前回終動時の表示モードがワイド映像であった場合は、初期化動作ではワイド映像の設定がなされ、その後の表示切替が行われたときには上述したのと同じルーチンにしたがってスタック映像に切り替わる。
上述した通り、本実施形態によれば以下の効果が得られる。
【００８６】
（１）プロジェクタシステム２００が投写する複合映像は、マスター映像およびスレーブ映像とを重畳したスタック映像と、マスター映像およびスレーブ映像と並べたワイド映像である。よって、スタック映像は、マスタープロジェクタ２０１およびスレーブプロジェクタ２０２それぞれの投写映像が重畳されたものであるため、スタック映像の輝度は、マスター映像の輝度にスレーブ映像の輝度を加えたものとなり、高輝度を得ることができる。
【００８７】
例えば、マスタープロジェクタ２０１と、スレーブプロジェクタ２０２とが、ともに２０００ルーメンの投写輝度であるとすると、スタック映像を、４０００ルーメンの高輝度とすることができる。ちなみに、図１で示した３００インチのスクリーンにおいて、周囲の照明を落としたときの、実用域の輝度は３５００ルーメン以上といわれている。
また、図３に示したワイド映像Ｖｗは、マスタープロジェクタ２０１およびスレーブプロジェクタ２０２それぞれの投写映像を並べたものであるため、複合映像の解像度は、重なり部分の領域Ｌを除いたマスター映像Ｖｍの解像度とスレーブ映像Ｖｓの解像度とを加えたものとなり、高解像度を得ることができる。
例えば、マスター映像Ｖｍの解像度と、スレーブ映像Ｖｓの解像度とが、ともに解像度ＸＧＡ（1024×768）であるとすると、ワイド映像Ｖｗを、ＷＸＧＡ（1280×768）の高解像度とすることができる。
さらに、リモコン６などの操作部の「表示モード切替ボタン」の操作により、スタック映像、または、ワイド映像を簡便に切替えることが可能である。
【００８８】
よって、本発明のプロジェクタシステム２００は、一つのシステムにより高輝度のスタック投写映像と、高解像度のワイド映像映像とを、切替え投写することが可能である。
また、スレーブプロジェクタ２０２は、マスタープロジェクタ２０１からの表示モード情報に基づき、スレーブ映像を投写することから、マスタープロジェクタに対して、投写したい複合映像を選択することにより、所望の複合映像を得ることができる。
従って、高輝度のスタック投写映像と、高解像度のワイド映像とを、簡便に切替え可能なプロジェクタシステム２００を提供することができる。
【００８９】
（２）マスタープロジェクタ２０１の制御部２０は、操作受付け部１８からの操作信号に応じて、選択された複合映像のマスター映像に関する設定情報を記憶部２１から引き当て、引き当てた設定情報に沿って映像信号処理部９および投写レンズ調整部１６に調整コマンドを出力し、さらにスレーブプロジェクタ２０２に表示モード情報を送ることから、選択された複合映像の設定情報に沿ってマスター映像を投写するとともに、スレーブプロジェクタ２０２が選択された複合映像のスレーブ映像を投写するように制御する。
従って、選択された複合映像の基準となるマスター映像を投写するとともにスレーブプロジェクタ２０２のスレーブ映像の投写を制御するマスタープロジェクタ２０１を提供することができる。
【００９０】
（３）スレーブプロジェクタ２０２のＳ制御部１２０は、マスタープロジェクタ２０１からの表示モード情報に沿って、選択された複合映像のスレーブ映像に関する設定情報をＳ記憶部１２０から引き当て、引き当てた設定情報に沿ってＳ映像信号処理部１０９およびＳ投写レンズ調整部１１６に調整コマンドを出力することから、マスタープロジェクタ２０１からの表示モード情報に従い、選択された複合映像のスレーブ映像を設定情報に沿って投写する。
従って、マスタープロジェクタ２０１の制御に従い、選択された複合映像を構築するためのスレーブ映像を投写するスレーブプロジェクタ２０２を提供することができる。
【００９１】
（４）マスタープロジェクタ２０１は、投写レンズ調整部１６の複数の圧電モータＭＦ，ＭＸ，ＭＹ，ＭＺによりマスター映像の大きさ、投写位置、フォーカスの調整が可能である。さらに、映像信号処理部９における映像信号処理によってマスター映像の形状の補正ができる。
従って、映像信号に忠実な映像の投写が可能なマスタープロジェクタ２０１を提供することができる。
【００９２】
（５）スレーブプロジェクタ２０２は、Ｓ投写レンズ調整部１１６の複数の圧電モータＭＦ，ＭＸ，ＭＹ，ＭＺによりスレーブ映像の大きさ、投写位置、フォーカスの調整が可能である。さらに、Ｓ映像信号処理部１０９における映像信号処理によってスレーブ映像の形状の補正ができる。
従って、映像信号に忠実な映像の投写が可能なスレーブプロジェクタ２０２を提供することができる。
【００９３】
（６）マスタープロジェクタ２０１は、投写されたマスター映像を撮像するためのエリアセンサとしてのＣＣＤ２５と、ＣＣＤ２５により撮像された映像を解析し、マスター映像の大きさ、投写位置、フォーカスおよび形状を検出する画像解析部２２とを備えることから、投写されているマスター映像の状態を正確に検出することができる。
よって、投写されているマスター映像が、マスター映像の設定情報通りになるように調整することができる。
従って、より映像信号に忠実な映像の投写が可能なマスタープロジェクタを提供することができる。
【００９４】
（７）スレーブプロジェクタ２０２は、投写されたスレーブ映像を撮像するためのエリアセンサとしてのＣＣＤ１２５と、ＣＣＤ１２５により撮像された映像を解析し、スレーブ映像の大きさ、投写位置、フォーカスおよび形状を検出する画像解析部２２とを備えることから、投写されているスレーブ映像の状態を正確に検出することができる。
よって、投写されているスレーブ映像が、スレーブ映像の設定情報通りになるように調整することができる。
従って、より映像信号に忠実な映像の投写が可能なスレーブプロジェクタを提供することができる。
【００９５】
（８）プロジェクタシステム２００は、マスタープロジェクタ２０１と、スレーブプロジェクタ２０２との、２台のプロジェクタによるシンプルな構成である。
また、それぞれのプロジェクタの構成は、大量生産されている汎用の安価なプロジェクタとほぼ同様であることから、安価に製造することができる。
従って、高輝度のスタック投写映像と、高解像度のワイド映像とを、切替え可能で、安価でシンプルな構成のプロジェクタシステム２００を提供することができる。
【００９６】
（９）スレーブプロジェクタ２０２は、マスタープロジェクタ２０１にマスタープロジェクタとスレーブプロジェクタの機能を切替える主従切替え操作を行い、スレーブプロジェクタとして機能させている。
従って、マスタープロジェクタとしての機能と、スレーブプロジェクタとしての機能とを、選択可能なマスタープロジェクタ２０１を提供することができる。
これにより、マスタープロジェクタ２０１が２台あればプロジェクタシステム２００が構成できるため、マスタープロジェクタと、スレーブプロジェクタをそれぞれ専用機として製造しなくても良い。よって、大量生産による量産効果により、安価なプロジェクタシステム２００を提供することができる。
【００９７】
（１０）マスタープロジェクタ２０１は、スタック映像を構成するマスター映像の大きさ、投写位置、フォーカスおよび形状を調整して投写する。スタック映像は、同一の映像を表すマスター映像とスレーブ映像とを重畳させた高輝度の映像であるので、例えば、小さな会議室での投写など、さほど輝度を必要としない場合は、マスター映像のみによる投写で十分である。
よって、マスタープロジェクタ２０１は、１台であっても通常のプロジェクタとしての機能を果たすことができる。
従って、所望する投写映像の輝度に応じて、１台、または、複数台により、映像を投写することができるプロジェクタシステム２００のマスタープロジェクタ２０１を提供することができる。
【００９８】
なお、本発明は上述した実施形態に種々の変更や改良などを加えることが可能である。変形例を以下に述べる。
【００９９】
（変形例１）
図２を用いて説明する。前記実施形態において、表示モードの選択は、マスタープロジェクタ２０１のリモコン６などによる「表示モード切替ボタン」の操作により行われれるが、例えば、入力映像信号Ｖinに規定される映像のアスペクト比と合致するように選択されることとしても良い。
この場合、Ａmp７の前段の入力セレクタ（図示せず）は、選択された映像信号Ｖinの同期信号を制御部２０に送り、制御部２０は、映像信号Ｖinの同期信号の周波数を測定する。記憶部２１は、同期周波数とアスペクト比の相関テーブルをさらに記憶している。
制御部２０は、記憶部２１の相関テーブルから、測定した同期信号の周波数に対応するアスペクト比を引き当て、同じアスペクト比の表示モードの設定情報に沿ってマスター映像を調整する。また、スレーブプロジェクタ２０２に表示モード情報を送る。
この構成によれば、入力した映像信号Ｖinに規定される映像のアスペクト比に応じて、投写表示モードを切替えることが可能なプロジェクタシステム２００を提供することができる。
【０１００】
（変形例２）
前記実施形態において、スレーブプロジェクタ２０２は、マスタープロジェクタ２０１にマスタープロジェクタとスレーブプロジェクタの機能を切替える主従切替え操作を行い、スレーブプロジェクタとして機能させているが、マスタープロジェクタ２０１と、スレーブプロジェクタ２０２とを、それぞれ専用機として構成しても良い。
この構成によれば、それぞれのプロジェクタが、マスター映像またはスレーブ映像のいずれかを投写可能な必要最低限の構成および機能を備えていれば良いことから、少数の生産の場合、安価に製造できる可能性がある。
【０１０１】
（変形例３）
前記実施形態において、プロジェクタシステム２００は、マスタープロジェクタ２０１と、スレーブプロジェクタ２０２との２台により構成されているが、２台による構成に限定するものではない。例えば、マスタープロジェクタ２０１と、スレーブプロジェクタ２０２とを、各２台づつとして、計４台により構成しても良い。
この場合、スタック映像を投写するときには、４台に同一の映像を投写させ、４台からの投写映像をスタックさせる。これにより、例えば、各プロジェクタの投写映像の輝度が２０００ルーメンであれば、輝度８０００ルーメンという高輝度のスタック映像を得ることが可能なプロジェクタシステムを提供することができる。
【０１０２】
また、ワイド映像を投写するときには、４台による投写映像を「田の字」になるように、重なりを持って並べることによりワイド映像を構成する。これにより、重なり部分の重複する解像度を除いて、４台分の解像度を合計した高解像度のワイド映像を得ることが可能なプロジェクタシステムを提供することができる。
【０１０３】
（変形例４）
前記実施形態および各変形例において、プロジェクタシステム２００を構成するマスタープロジェクタ２０１およびスレーブプロジェクタ２０２は、光変調素子として赤色光、青色光、緑色光の各色光用の３つの液晶ライトバルブを備えるものとして説明したが、これに限定するものではない。マスタープロジェクタ２０１およびスレーブプロジェクタ２０２の光変調素子は、例えば、１つの画素が、赤、青、緑色のカラーフィルタと、色調ごとのカラーフィルタに対応するセルとで構成され、表示解像度分の前記画素を備えた単板の液晶ライトバルブを用いる構成であっても良い。また、反射型液晶表示装置や、ティルトミラーデバイスを用いる構成としても良い。これらの構成であっても、前記実施形態および各変形例と同様の効果を得ることができる。
【図面の簡単な説明】
【０１０４】
【図１】一実施形態のプロジェクタシステムの設置概要図。
【図２】プロジェクタシステムの概略構成図。
【図３】ワイド映像Ｖｗの画面構成図。
【図４】表示モードの初期設定フローチャート。
【図５】表示モード切替え動作フローチャート。
【図６】一実施形態のテストパターン。
【図７】スクリーン位置検出の説明図。
【図８】従来の複数のプロジェクタによるワイド映像投写の概要図。
【符号の説明】
【０１０５】
通信ケーブル…１、２、操作部としてのリモコン…６、映像信号処理部…９、投写レンズ…１５、投写レンズ調整部…１６、通信部…１７、操作受付け部…１８、制御部…２０、記憶部…２１、画像解析部…２２、エリアセンサとしてのＣＣＤ…２５、１２５、映像信号処理部としてのＳ映像信号処理部…１０９、投写レンズとしてのＳ投写レンズ…１１５、投写レンズ調整部としてのＳ投写レンズ調整部…１１６、通信部としてのＳ通信部…１１７、操作受付け部としてのＳ操作受付け部…１１８、制御部としてのＳ制御部…１２０、記憶部としてのＳ記憶部…１２１、画像解析部としてのＳ画像解析部…１２２、プロジェクタシステム…２００、マスタープロジェクタ…２０１、スレーブプロジェクタ…２０２、外部映像ソース…２０３、スクリーン…ＳＣ、複合映像としてのワイド映像…Ｖｗ。
【図１】
2006165949.tif 000003
【図２】
2006165949.tif 000004
【図３】
2006165949.tif 000005
【図４】
2006165949.tif 000006
【図５】
2006165949.tif 000007
【図６】
2006165949.tif 000008
【図７】
2006165949.tif 000009
【図８】
2006165949.tif 000010